(57)【要約】      （修正有）【課題】手袋として十分に機能し、収納時においても嵩張ることがなく、また、ファッション的にも制約のない手袋機能を持つ袖口の構造を提供する。【解決手段】衣類の長袖の袖開口縁１２付近から袖口側面部１３にかけて袖付け根側にポケット口２１を有するポケット部２を設けるとともに、該袖口側面部１３には親指挿入部３を前記ポケット部内に収納自在に設け、前記ポケット部を表裏に裏返して袖開口１１に被せることにより手袋が形成される手袋機能を持った袖口構造を構成する。【選択図】図１
0003159402.tif 000002
【実用新案登録請求の範囲】
【請求項１】
衣類の長袖の袖開口縁付近から袖口側面部にかけて袖付け根側にポケット口を有するポケット部を設けるとともに、該袖口側面部には親指挿入部を前記ポケット部内に収納自在に設け、前記ポケット部を表裏に裏返して袖開口に被せることにより手袋が形成される手袋機能付き袖口構造。
【請求項２】
前記袖口側面部および／または前記親指挿入部に滑り止め手段を設けたことを特徴とする請求項１に記載の手袋機能付き袖口構造。
【請求項３】
前記親指挿入部と袖口側面部の互いの接触部位に、該両部位を付着させるための付着手段を設けたことを特徴とする請求項１または請求項２に記載の手袋機能付き袖口構造。
【請求項４】
前記ポケット部にポケット口を封止するための封止手段を設けたことを特徴とする請求項１ないし請求項３のいずれか１項に記載の手袋機能付き袖口構造。
【請求項５】
前記袖口側面部にさらに親指以外の指を入れるための指挿入部を指ごとに独立して設けたことを特徴とする請求項１ないし請求項４のいずれか１項に記載の手袋機能付き袖口構造。
【考案の詳細な説明】
【技術分野】
【０００１】
本考案は、手袋機能を備えた衣類の袖口の構造に関するものである。
【背景技術】
【０００２】
一般的に、手袋は外出時に常に着用しているわけではなく、場所や状況に応じて着けたり外したりするものであるため、片方、あるいは両方を落としたり、置き忘れたりするなどの紛失が絶えない。
【０００３】
そこで、かかる問題を解決するものとして、特許文献１には袖口に一体的に設けられた手袋に開口部を形成し、かかる開口部からひっくり返すことによって手袋を収納できる手袋付き衣類が開示されている。
【０００４】
また、特許文献２には、袖部に手袋を収納可能な収納袋部を設けて、手袋を使用しない時にはかかる収納袋部に収納することが可能な手袋付衣服が開示されている。
【０００５】
しかしながら、特許文献１のものは手袋の一部に開口部を設けるため、かかる開口部から外気などが侵入し、手袋の機能としては十分とは言い難く、また、手袋を使用しない時には手袋を袖口の外部に装着するものであるため、ファッション的にも制約のあるものであった。  
【０００６】
また、特許文献２のものは、袖口内部に設けた収納袋部に手袋をそのまま収納するため
、収納時には袖口が嵩張ってしまうという問題を有していた。
【先行技術文献】
【特許文献】
【０００７】
【特許文献１】特開２０００−２８２３１０号
【特許文献２】特開２００５−２２６１８５号
【考案の概要】
【考案が解決しようとする課題】
【０００８】
従って、本考案は、手袋として十分に機能し、収納時においても嵩張ることがなく、また、ファッション的にも制約のない袖口の手袋機能を提供することをその課題とするものである。
【課題を解決するための手段】
【０００９】
本考案は、上記課題を解決するものであり、衣類の長袖の袖開口縁付近から袖口側面部にかけて袖付け根側にポケット口を有するポケット部を設けるとともに、該袖口側面部には親指挿入部を前記ポケット部内に収納自在に設け、前記ポケット部を表裏に裏返して袖開口に被せることにより手袋が形成される手袋機能付き袖口構造である。
【考案の効果】
【００１０】
本考案の手袋機能付き袖口構造は、袖口にポケットを設け、これを裏返して袖開口に被せることで親指以外の指を入れる部分を形成し、さらに、ポケット内に収納されていた親指挿入部が外部に露出することで通常の手袋と同じ機能を持たせることができる。
【００１１】
本考案の手袋機能付き袖口構造は、袖に一般的な手袋を取り付けるものではなく、袖の一部およびポケットを手袋として使用するため、手袋機能を使用しないときも袖が嵩張ることなく、また、外観的には普通のポケットと変わるとことがないため、ファッション的にも制約がなく、デザインの自由度も高い。
【図面の簡単な説明】
【００１２】
【図１】本考案に係る手袋機能付き袖口構造の手袋不使用時の正面図。
【図２】本考案に係る手袋機能付き袖口構造の手袋不使用時の状態を表した図。
【図３】本考案に係る手袋機能付き袖口構造の手袋使用時の状態を表した図。
【図４】本考案に係る手袋機能付き袖口構造の異なる実施態様の正面図。
【図５】本考案に係る手袋機能付き袖口構造の異なる実施態様の正面図。
【考案を実施するための形態】
【００１３】
以下、本考案の手袋機能付き袖口構造の一実施態様を、図面に基づいて具体的に説明する。なお、本考案はこれら実施態様に何ら制約されるものではない。
【００１４】
図１は本考案に係る手袋機能付き袖口構造の手袋不使用時の正面図である。図中、１は袖口、２はポケット部、３は親指挿入部、１１は袖開口、１２は袖開口縁、１３は袖口側面部、２１はポケット口をそれぞれ示す。
【００１５】
本考案に係る手袋機能付き袖口構造は、基本的に、袖口１に設けられたポケット部２と、親指挿入部３とからなる。図に示すように、ポケット部２は袖口１の側面部１３に設けられており、一般的なポケットと同様、下地となる袖口生地にポケット生地を縫製することにより形成されている。具体的には、ポケット部２の下端は袖開口縁１２付近で縫製され、上部（袖付け根側）がポケット口２１となっている。なお、図１では、ポケット口２１を確認しやすいよう、ポケット口２１の袖口側面側を破線で表したが、これは、ここで生地が切り替わることを意味するものではなく、袖口１の生地は同じものを連続的に使用することができる。
【００１６】
ポケット部２が設けられた袖口側面部１３には、外部へ袋状に突出するように縫製され、袖口１内から親指が挿入できるように形成された親指挿入部３が設けられている。図１に示すように、手袋不使用時には親指挿入部３はポケット部２内に収納された状態になっているため、外部からは親指挿入部３を視認することはできない。このように、親指挿入部３を収納できる位置にポケット部２を設けるため、ポケット部２は袖口１の手のひら側の側面に設けることが望ましい。なお、親指挿入部３と袖口側面部１３の互いの接触部位には、両部位を付着するための付着手段、たとえば、ベルクロテープ（登録商標）等をそれぞれ設けてもよい。かかる付着手段により親指挿入部３を袖口側面部１３に付着することで、収納された親指挿入部３が誤ってポケット部２外部に露出することがなくなるため好ましい。
【００１７】
次に、図２および図３により、本考案に係る手袋機能付き袖口構造における手袋不使用時から手袋使用時への切り替えの方法について説明する。図２の手袋不使用時では、通常の長袖の衣類と同じく、袖開口１１より手を出した状態で着用されており、親指挿入部３はポケット部２内に収納された状態になっている。
【００１８】
この状態から、矢印のようにポケット部２の表裏を裏返して、ポケット部２の裏地、ポケット部２により覆われていた袖口側面１３、さらに親指挿入部３を外部に露出させる（図３）。その結果、袖開口１１はポケット部２により塞がれることになる。
【００１９】
以上の簡単な作業により、袖口１に、親指を入れるための親指挿入部３と、親指以外の４指を入れることが可能な袖口部分が形成され、いわゆるミトンタイプの手袋として使用することが可能となる。なお、外部に露出する袖口側面１３および、または親指挿入部３には、手袋使用時の滑り止め手段を設けてもよく、かかる滑り止め手段として、生地の表面に樹脂層等をその一部または全部に設けることが好ましい。
【００２０】
図４は、本考案に係る手袋機能付き袖口構造の別の態様（手袋使用時）のものであって、親指以外の４指部分が独立したものである。このものは、親指挿入部３のほかに、親指以外の指を入れるための指挿入部４を袖口側面部１３に指ごとに独立して設けており、手袋使用時には５本の指が独立して使用できるため、一般的な手袋と同様の機能性を有する。そして、手袋不使用時には、親指挿入部３と同様、各指挿入部４はポケット部２内に収納される。
【００２１】
ポケット部２は、手袋使用時および不使用時のいずれにおいても小物入れとして利用することができる。たとえば、ポケット部２内に携帯用カイロを収納すれば、手袋使用時には指先や手の甲を保温できるため好ましい。また、図５のように、ポケット部２の外側にさらに第２ポケット部５を設けて、コインなどの小物入れにしてもよい。さらに、各ポケット部のポケット口縁には、ポケット口を封止するための封止手段を設けてもよい。かかる封止手段としては、ベルクロテープ（登録商標）、ファスナー、ボタン等から適宜選択することができる。  
【００２２】
本考案に係る手袋機能付き袖口構造は、手袋使用時には袖口１に設けられている親指挿入部３に親指を挿入する必要があるため、通常の長袖の衣類よりも袖の長さにやや余裕を持たせるか、あるいは、伸縮性の高い素材を選択することが好ましい。伸縮性の高い素材としては、代表的には、ジャージ素材などを挙げることができる。  
【符号の説明】
【００２３】
１……袖口
２……ポケット部
３……親指挿入部
４……指挿入部
５……第２ポケット部
１１……袖開口
１２……袖開口縁
１３……袖口側面部
２１……ポケット口
【図１】
0003159402.tif 000003
【図２】
0003159402.tif 000004
【図３】
0003159402.tif 000005
【図４】
0003159402.tif 000006
【図５】
0003159402.tif 000007